(57)【要約】【課題】容器から物品を振り出して取り出す際の開閉操作や取り出し操作における操作性を向上させるとともに、容易な操作によって確実に一定量の物品を取り出すことができる計量容器を提供することにある。【解決手段】底板１の四方に設けた側面板２、背面板３、側面板４、正面板５からなる物品収納室６と、該物品収納室６内の正面板５寄りの底板１内面に正面板５に対して所定間隔を以て立設した傾斜面１ｂ、１ｃからなる逆Ｖ字状隔壁板７と、該隔壁板７と正面板５との間に設けた計量室８とからなる容器部Ａと、天板１１下面の対向端部に立設した互いに対向する側壁板１２、１３と、該天板１１下面一端部の側壁板１２、１３の対向間に各々側壁板１２、１３内面との間に所定の隙間ｉを設けて立設した物品採入口９を閉鎖可能な閉鎖板１４とからなる容器部Ａを施蓋する蓋部Ｂとからなる。【選択図】図１
2005008196.tif 000002
【特許請求の範囲】
【請求項１】
底板１の四方に設けた側面板２、背面板３、側面板４、正面板５からなる物品収納室６と、該物品収納室６内の正面板５寄りの底板１内面に正面板５に対して所定間隔を以て立設した傾斜面１ｂ、１ｃからなる逆Ｖ字状隔壁板７と、該隔壁板７と正面板５との間に設けた計量室８と、該隔壁板７頂部と側壁板２、４上端部との間に所定幅ｈ１  を設けて形成した物品採入口９とからなる容器部Ａと、天板１１下面の対向端部に立設した互いに対向する側壁板１２、１３と、該天板１１下面一端部の側壁板１２、１３の対向間に各々側壁板１２、１３内面との間に所定の隙間ｉを設けて立設した物品採入口９を閉鎖可能な閉鎖板１４とからなる容器部Ａを施蓋する蓋部Ｂとからなり、前記容器部Ａの物品収納室６内に内容物を収納して、前記容器部Ａの側壁板２、４上端部の外面と前記蓋部Ｂの側壁板１２、１３の内面とに沿って設けた直線状ガイド１０、１５を互いに嵌合して、容器部Ａに蓋部Ｂを施蓋して組み立てられていることを特徴とする計量容器。
【請求項２】
前記蓋部Ｂの閉鎖板１４が、前記容器部Ａの逆Ｖ字状隔壁板７と側壁板２、４上端部との間の所定幅ｈ１  と略同一長さｈ２  の板状体であることを特徴とする請求項１記載の計量容器。
【請求項３】
前記蓋部Ｂの閉鎖板１４が、前記容器部Ａの逆Ｖ字状隔壁板７と側壁板２、４上端部との間の所定幅ｈ１  と略同一長さｈ２  の幅方向に配列した複数本の格子状体であることを特徴とする請求項１記載の計量容器。
【発明の詳細な説明】
【０００１】
【発明の属する技術分野】
本発明は、粒状又は粉状の医薬品や医薬部外品、菓子や調味料等の食料品、その他の粒状又は粉状の内容物を収納包装し、定量の取り出しが可能な計量容器に関する。
【０００２】
【従来の技術】
従来から、容器内の粒状物品を使用時に振り出すことができ、繰り返し同様の動作によって取り出し可能な振り出し容器としては、ヒンジ開閉式やスライド開閉式の取り出し口を片手指でワンタッチにて簡単に開放して、所望量の物品を取り出すことができる容器が多用されている。
【０００３】
しかしながら、従来の振り出し容器は、物品を定量ずつ取り出す機構が付いていないため、使用時に一定量の物品のみを取り出すことができず、物品を取り出し過ぎて物品を無駄に使ってしまったり、物品をまた容器内に戻す操作が必要であったりして、振り出す操作に慎重さを必要としていた。
【０００４】
【発明が解決しようとする課題】
本発明は、容器から物品を振り出して取り出す際の開閉操作や取り出し操作における操作性を向上させるとともに、容易な操作によって、確実に一定量の物品を取り出すことができる計量容器を提供することにある。
【０００５】
【課題を解決するための手段】
本発明の請求項１に係る発明は、底板１の四方に設けた側面板２、背面板３、側面板４、正面板５からなる物品収納室６と、該物品収納室６内の正面板５寄りの底板１内面に正面板５に対して所定間隔を以て立設した傾斜面１ｂ、１ｃからなる逆Ｖ字状隔壁板７と、該隔壁板７と正面板５との間に設けた計量室８と、該隔壁板７頂部と側壁板２、４上端部との間に所定幅ｈ１  を設けて形成した物品採入口９とからなる容器部Ａと、天板１１下面の対向端部に立設した互いに対向する側壁板１２、１３と、該天板１１下面一端部の側壁板１２、１３の対向間に各々側壁板１２、１３内面との間に所定の隙間ｉを設けて立設した物品採入口９を閉鎖可能な閉鎖板１４とからなる容器部Ａを施蓋する蓋部Ｂとからなり、前記容器部Ａの物品収納室６内に内容物を収納して、前記容器部Ａの側壁板２、４上端部の外面と前記蓋部Ｂの側壁板１２、１３の内面とに沿って設けた直線状ガイド１０、１５を互いに嵌合して、容器部Ａに蓋部Ｂを施蓋して組み立てられていることを特徴とする計量容器である。
【０００６】
本発明の請求項２に係る発明は、上記請求項１に係る計量容器において、前記蓋部Ｂの閉鎖板１４が前記容器部Ａの逆Ｖ字状隔壁板７と側壁板２、４上端部との間の所定幅ｈ１  と略同一長さｈ２  の板状体であることを特徴とする計量容器である。
【０００７】
本発明の請求項３に係る発明は、上記請求項１に係る計量容器において、前記蓋部Ｂの閉鎖板１４が、前記容器部Ａの逆Ｖ字状隔壁板７と側壁板２、４上端部との間の所定幅ｈと略同一長さｈ２  の幅方向に配列した複数本の格子状体であることを特徴とする計量容器である。
【０００８】
【発明の実施の形態】
本発明の計量容器の実施の形態を、図１（ａ）〜（ｂ）に示す組み立て斜視図に基づいて以下に詳細に説明する。
【０００９】
本発明の計量容器は、図１（ａ）に示すように、容器部Ａと、容器部Ａを施蓋する蓋部Ｂとから構成され、容器部Ａは大きい容積の物品収納室６と小さい容積の計量室９とを備えている。
【００１０】
容器部Ａは、図１（ａ）に示すように、底板１と、その底板１の四方に設けた側面板２、背面板３、側面板４、正面板５からなる物品収納室６を備え、該物品収納室６内には、その正面板５寄りの底板１内面に、正面板５に対して所定間隔を以て傾斜面１ｂ、１ｃからなる逆Ｖ字状隔壁板７が立設していて、該隔壁板７と正面板５との間は計量室８となっている。
【００１１】
そして前記隔壁板７の頂部と側壁板２、４の上端部との間には所定幅ｈ１  （少なくとも内容物の直径より大きい幅）を設けて物品採入口９が形成されている。
【００１２】
また、容器部Ａの側壁板２、４上端部の外面には、その外面に沿って水平に直線状ガイド１０（例えばガイド溝部又はガイド突起部）が設けられ、また、直線状ガイド１０（例えばガイド溝部又はガイド突起部）内には、開閉ロック用の係止部１０ａ（ガイド方向２個所の係止凹部又は１個所の係止凸部）が設けられている。
【００１３】
蓋部Ｂは、容器部Ａにおける四方に設けた側面板２、背面板３、側面板４、正面板５による物品収納室６の上端部を施蓋するものであり、天板１１と、その天板１１下面の対向端部に互いに対向して立設した側壁板１２、１３とにより、断面コの字型に形成されている。
【００１４】
コの字型の蓋部Ｂの側壁板１２、１３の対向間における天板１１下面の一端部には、図１（ａ）、及び図１（ｂ）の蓋部Ｂの横転図に示すように、各々側壁板１２、１３内面との間に所定の隙間ｉ、ｉを設けて、容器部Ａの前記物品採入口９を閉鎖可能な閉鎖板１４が立設している。この隙間ｉは、対向する各々側壁板１２、１３上端の厚さ分に相当するように設定されている。
【００１５】
また、前記蓋部Ｂの側壁板１２、１３の内面には、その内面に沿って水平に、前記容器部Ａの直線状ガイド１０とスライド可能に嵌合する直線状ガイド１５（例えばガイド突起部又はガイド溝部）が部分的に設けられ、また、該直線状ガイド１５の延長線状に隣接して、前記容器部Ａの開閉ロック用の係止部１０ａ（ガイド方向２個所の係止凹部又は１個所の係止凸部）に嵌合する蓋部開閉ロック用の係止部１５ａ（１個所の係止凸部又はガイド方向２個所の係止凹部）が設けられている。なお、蓋部開閉ロック用の係止部としては、その他に、図１（ｂ）、図２（ａ）〜（ｂ）に示すように天板１１の裏面に係止突起部１１ａを設け、背面板３内面の上端部に係止して停止させるようにしてもよい。
【００１６】
本発明の計量容器は、上記容器部Ａの物品収納室６内に、粒状物や粉体等の定量取り出し用の内容物を収納した後、図１に示すように蓋部Ｂを容器部Ａ上に矢印方向に被せ、容器部Ａの側壁板２、４上端部を、蓋部Ｂの側壁板１２、１３の内側に嵌合させる。なお、その際に、容器部Ａの側壁板２、４のそれぞれ上端の外面部には、例えば、図１に示すように、予め上端の長さ方向に水平に、上端から所定の幅と蓋部Ｂの側面板１２、１３の厚さ分に相当する深さとを有する切欠部１０ｂを設けることにより、蓋部Ｂを容器部Ａに施蓋した際に、蓋部Ｂがその厚さ分だけ容器部Ａの側面板１２、１３の外面に対して段差面を発生させずに、側壁板２、４と側面板１２、１３のそれぞれ外面を互いに面一とすることができる。
【００１７】
そして、図２（ａ）の側断面図に示すように、容器部Ａの正面板５の内面側に蓋部Ｂの閉鎖板１４を密接するようして差し込み、容器部Ａの互いに平行な側壁板２、４の外面と前記蓋部Ｂの互いに平行な側壁板１２、１３の内面とに沿って設けた前記直線状ガイド１０、１５を互いに直線状にスライド可能に凹凸嵌合して、図３（ａ）の全体外観斜視図に示すように容器部Ａに蓋部Ｂを施蓋して組み立てられる。
【００１８】
このようにして組み立てられた本発明の計量容器は、図２（ａ）に示すように閉鎖板１４が側壁板５内面に密接していて、計量室９の物品採入口８は開放状態にあり、開閉ロック用の前記係止部１０ａ、１５ａは、ガイド方向２個所にある係止凹部のうち閉鎖方向にある係止凹部と１個所にある係止凸部とが互いに嵌合状態にてロックされていて、また、計量室９の容器上端開口部Ｃは閉鎖状態にあり、物品収納室６と計量室９とは互いに物品採入口８を介して連通している。
【００１９】
本発明の計量容器を傾けることにより、容器部Ａの物品収納室６内に収容されている内容物Ｄを、採入口８から一定容積の計量室９内に定量だけ採り込むことができる。
【００２０】
そして、図２（ｂ）、図３（ｂ）全体外観斜視図に示すように、蓋部Ｂを容器部Ａのスライドガイド１０に沿って矢印方向にスライド移動させて計量室９の真上の容器上端の開口部Ｃを開放することにより、開閉ロック用の前記係合部１０ａ、１５ａは、ガイド方向２個所にある係止凹部のうち開放方向にある係止凹部と１個所にある係止凸部とが互いに嵌合状態にてロックされ、それと同時に物品採入口８は閉鎖板１４（長さｈ２  、物品採入口８の幅ｈ１  に対して所定のクリアランスｄ（内容物が通過不可能な隙間）を備える）によって閉鎖状態になり、続いて計量容器を傾けることにより、容器部Ａの計量室９内に採り入れた定量の内容物Ｄを容器の外に取り出すことができる。
【００２１】
なお、前記蓋部Ｂの閉鎖板１４は、前記容器部Ａの逆Ｖ字状隔壁板７と側壁板２、４上端部との間の所定幅ｈ１  と略同一長さｈ２  の板状体（図示）であってもよいし、前記容器部Ａの逆Ｖ字状隔壁板７と側壁板２、４上端部との間の所定幅ｈと略同一長さｈ２  の幅方向に配列した複数本の格子状体（図示せず）であってもよい。
【００２２】
【発明の効果】
本発明の計量容器は、プラスチック成形加工や金属成形加工などにより作製したスライド開閉式による計量容器であって、蓋部を閉鎖方向にスライド移動させることにより、容器部の計量室の真上の容器上端開口部を施蓋できるとともに、該容器部内計量室の物品採入口を開放でき、容器部の物品収納室内の内容物の一部の定量の内容物を、その計量室内に手軽に採り入れることができ、また、蓋部を開放方向にスライド移動させることにより、容器部の計量室の真上の容器上端開口部を開放できるとともに、該容器部内計量室の物品採入口を閉鎖でき、その計量室内に採り入れた定量の物品を、その開放した計量室の真上の容器上端開口部から取り出すことができ、物品を取り出し過ぎて物品を無駄に使ってしまったり、取り出した物品をまた容器内に戻すなどの無駄な操作が不要になり、容易な操作によって確実に一定量の物品を取り出すことができる計量容器を提供できるものである。
【図面の簡単な説明】
【図１】（ａ）は本発明の計量容器の一実施の形態を説明する容器部と蓋部との組み立て斜視図、（ｂ）は蓋部全体の下部を説明する転倒状態の斜視図。
【図２】（ａ）は本発明の計量容器の一実施の形態における閉鎖した状態の側断面図、（ｂ）は開放した状態の側断面図。
【図３】（ａ）は本発明の計量容器の一実施の形態における閉鎖した状態の斜視図、（ｂ）は開放した状態の斜視図。
【符号の説明】
Ａ…容器部  Ｂ…蓋部  Ｃ…計量室真上の開口部  Ｄ…内容物
１…底板  ２…側面板  ３…背面板  ４…側面板  ５…正面板  ６…物品収納室
７…隔壁板  ８…計量室  ９…物品採入口
１０…直線状ガイド  １１…天板  １２、１３…側壁板  １４…閉鎖板
【図１】
2005008196.tif 000003
【図２】
2005008196.tif 000004
【図３】
2005008196.tif 000005